(57)【要約】【課題】蓄電池の使用状態を把握して蓄電池の性能劣化を報知すると共に、蓄電池の性能劣化を検知して蓄電池の余寿命を正確に把握出来ることにより、交換時期まで蓄電池を有効に使用できる蓄電システムの保守管理システムを提供する。【解決手段】蓄電池（２）と、蓄電池の状態を計測する計側部（３１）と蓄電池の充放電を制御する充放電制御部（３２）とを備えたシステム制御部（３）と、計測されたデータを含む情報を表示する表示部（４）とを備えた蓄電システムの保守管理システムであって、さらに、蓄電池性能を回復させる回復手段（パルス発生部５）を備え、表示部（４）に、性能が劣化した蓄電池を表示すると共に、回復操作を実行するか否かを設定する選択キーを表示し、回復操作を行うことが選択された後、回復操作を実行する蓄電システムの保守管理システムとした。【選択図】図１
2015060775.tif 000002
【特許請求の範囲】
【請求項１】
蓄電池と、蓄電池の状態を計測する計側部と蓄電池の充放電を制御する充放電制御部とを備えたシステム制御部と、計測されたデータを含む情報を表示する表示部と、を備えた蓄電システムの保守管理システムであって、
さらに、蓄電池性能を回復させる回復手段を備え、前記表示部に、性能が劣化した蓄電池であることを表示すると共に、回復操作を実行するか否かを設定する回復操作選択キーを表示し、回復操作を行うことが選択された後、回復操作を実行する保守管理システムとしたことを特徴とする蓄電システムの保守管理システム。
【請求項２】
前記システム制御部は、インターネット網に接続可能な通信部を有し、前記表示部は、前記回復操作選択キーを表示すると共に、蓄電池交換のお知らせとして交換を希望するか否かの交換選択キーを表示し、交換することが選択されるとその旨を、前記通信部を介して管理センターに通報することを特徴とする請求項１に記載の蓄電システムの保守管理システム。
【請求項３】
前記蓄電池交換のお知らせは、蓄電池の実際の性能に加えて、蓄電池の使用状態を加味して前記システム制御部が判断することを特徴とする請求項２に記載の蓄電システムの保守管理システム。
【請求項４】
前記回復手段として、所定のパルス電流を生成するパルス発生部を有することを特徴とする請求項１から３のいずれかに記載の蓄電システムの保守管理システム。
【請求項５】
前記表示部は、連絡先の電話番号と、電話通信とメール通信のいずれを選択するかの通信選択キーを表示することを特徴とする請求項１から４のいずれかに記載の蓄電システムの保守管理システム。
【発明の詳細な説明】
【技術分野】
【０００１】
本発明は、蓄電システムの保守管理システムに関し、特に、家庭用の充放電可能な二次電池を用いた蓄電システムの保守管理システムに関する。
【背景技術】
【０００２】
近年、商用電源の停電時に備えて家庭用に蓄電池を設置することが提案されており、充放電可能な二次電池を蓄電池として用いて、夜間の余剰電力などを利用して蓄電する蓄電システムを構築することが模索されている。
【０００３】
また、国内の電力需要に目を向けると、各種ＯＡ機器や空調設備、その他家電商品などの利便性向上に伴い、消費電力量は年々上昇している。さらに、ピーク時の電力量と平均の電力量との比率である負荷率は年々悪化してきている。
【０００４】
電力会社は、ピーク電力に対応した発電設備を維持することが求められるので、発電設備の効率的な運用を図る上でも、夜間等の余剰電力を有効に活用することは有効であり、負荷変動に対応する設備として、各家庭毎に蓄電池を設置することが望まれる。
【０００５】
このように、余剰電力を蓄電して電源電力として用いる二次電池として一般に鉛蓄電池が用いられている。また、リチウムイオン蓄電池なども使用されている。
【０００６】
鉛電池に代表される蓄電池は、長期間の使用により性能が劣化して、電池の容量が低下していき、最終的には使用が困難になる。鉛蓄電池においては、放電の際に硫酸鉛が電極表面に発生し、この硫酸鉛は、時間の経過とともに電極に固着し、性能劣化をもたらすことが知られている。
【０００７】
鉛蓄電池やリチウムイオン蓄電池などを備えた蓄電システムを家庭用に設置した場合には、これらの蓄電池を耐用年数一杯に使用でき、適当な発電能力を維持するために行う保守管理も容易であることが望ましい。また、家庭毎に使用条件や使用環境が異なるので、それぞれの使用条件や使用環境に合致した保守管理を行うことが望まれる。
【０００８】
蓄電池の交換時期は、一般的には、使用温度状況にもよるものの耐用年数が設定されており、定期的なメンテナンスにより、交換時期を顧客に提案する仕組み、あるいは交換時期をお知らせする仕組みがある。
【０００９】
例えば、二次電池のデータを測定する測定部と、測定されたデータを保存するメモリを有し、二次電池の余寿命を正確に予想して二次電池の使用状態を把握する二次電池の保守管理方法が既に提案されている（例えば、特許文献１参照）。
【００１０】
また、蓄電池と計測手段と制御手段とを備え、さらに計測結果に基づいて省エネに関するアドバイスを決定する決定手段と、決定されたアドバイスを報知する報知手段を備えた蓄電システムが既に提案されている（例えば、特許文献２参照）。
【先行技術文献】
【特許文献】
【００１１】
【特許文献１】特開２００７−１６５０４０号公報
【特許文献２】特開２０１２−１１５０６１号公報
【発明の概要】
【発明が解決しようとする課題】
【００１２】
鉛蓄電池やリチウムイオン蓄電池などの蓄電池の使用状態を把握することで、蓄電池の性能劣化を検知して、蓄電池の余寿命を正確に予想することが可能になる。また、予想される余寿命に基づいて、蓄電池の交換時期を定めておくことも、その交換時期に合わせて予め交換用の蓄電池を手配しておくことも可能になる。
【００１３】
しかし、蓄電池は交換部品としての管理が困難であることから、直ぐには手配できない場合が想定され、交換するまでの時間が長くなってしまい問題となる。このように、蓄電池交換に時間を要する場合には、必要な時期に必要なエネルギーを確保することができなくなって問題となる。
【００１４】
そこで、蓄電池の使用状態を把握して蓄電池の寿命を正確に予測することに加えて、交換作業に入るまでは、有効に使用できる蓄電システムであることが望ましく、複数の蓄電池を使用した蓄電システムであれば、それぞれの蓄電池の使用状態を確認して寿命を予測し、性能劣化した蓄電池を報知し、ユーザーが交換時期を定めると共に、実際に交換するまでは、全ての二次電池を有効的に活用できる蓄電池の保守管理システムであることが望ましい。
【００１５】
そのために、蓄電池の使用状態を把握して蓄電池の余寿命を予測して報知することに加えて、ユーザーが求める所定の交換時期まで蓄電池を有効に使用できる蓄電システムが好ましく、このように保守管理できる保守管理システムであることが望まれる。
【００１６】
そこで本発明は、上記問題点に鑑み、蓄電池の使用状態を把握して蓄電池の性能劣化を報知すると共に、蓄電池の性能劣化を検知して蓄電池の余寿命を正確に把握出来ることにより、交換時期まで蓄電池を有効に使用できる蓄電システムの保守管理システムを提供することを目的とする。
【課題を解決するための手段】
【００１７】
上記目的を達成するために本発明は、蓄電池と、蓄電池の状態を計測する計側部と蓄電池の充放電を制御する充放電制御部とを備えたシステム制御部と、計測されたデータを含む情報を表示する表示部と、を備えた蓄電システムの保守管理システムであって、さらに、蓄電池性能を回復させる回復手段を備え、前記表示部に、性能劣化した蓄電池であることを表示すると共に、回復操作を実行するか否かを設定する回復操作選択キーを表示し、回復操作を行うことが選択された後、回復操作を実行する保守管理システムとしたことを特徴としている。
【００１８】
この構成によると、性能劣化した蓄電池を知ることができ、この蓄電池に対して性能を回復させる回復操作を、ユーザーが求めるタイミングで実行できるので、直ちに交換する必要がなくなり、予め交換のための準備や手配を行うことができる。また、交換時期が来るまでは、性能回復した蓄電池を使用することにより有効に使用できる蓄電システムとなる。そのために、蓄電池の使用状態を把握して蓄電池の性能劣化を報知すると共に、蓄電池の性能劣化を検知して蓄電池の余寿命を正確に把握出来ることにより、交換時期まで蓄電池を有効に使用できる蓄電システムの保守管理システムを得ることができる。交換時期は、蓄電池の性能および蓄電池の状態（使用時間、温度）の情報から得ることができる。
【００１９】
また、前記システム制御部は、インターネット網に接続可能な通信部を有し、前記表示部は、前記回復操作選択キーを表示すると共に、蓄電池交換のお知らせとして交換を希望するか否かの交換選択キーを表示し、交換することが選択されるとその旨を、前記通信部を介して管理センターに通報することが好ましい。
【００２０】
また、前記蓄電池交換のお知らせは、蓄電池の実際の性能に加えて、蓄電池の使用状態を加味して前記システム制御部が判断することが好ましい。
【００２１】
また、前記回復手段として、所定のパルス電流を生成するパルス発生部を有することが好ましい。他にも、電流を制御しながら充放電を行う手段など、蓄電池の種類により適した方法で行うことができる。
【００２２】
また、前記表示部は、連絡先の電話番号と、電話通信とメール通信のいずれを選択するかの通信選択キーを表示する構成でもよい。また前記表示部は、蓄電システムと別の機器に表示する構成でもよい。別の機器とは、インターネット網に接続可能な通信部を有するＴＶ、タブレット、携帯機器、携帯電話、宅内モニタなどであり、各機器に表示し、管理センターへ通報する構成でもよい。
【発明の効果】
【００２３】
本発明によれば、蓄電池の状態を計測する計側部と、性能劣化した蓄電池であることを表示する表示部と、蓄電池性能を回復させる回復手段を備え、性能劣化した蓄電池に対して性能を回復させる回復操作を実行できるので、交換するまでは、性能回復した蓄電池を使用することにより有効に使用できる蓄電システムとなる。そのために、蓄電池の使用状態を把握して蓄電池の性能劣化を報知すると共に、蓄電池の性能劣化を検知して蓄電池の余寿命を正確に把握出来ることにより、交換時期まで蓄電池を有効に使用できる蓄電システムの保守管理システムを得ることができる。
【図面の簡単な説明】
【００２４】
【図１】本発明に係る蓄電システムの保守管理システムの第１実施形態例を示す概略説明図である。
【図２】本発明に係る蓄電システムの保守管理システムの第２実施形態例を示す概略説明図である。
【図３】本発明に係る蓄電システムの保守管理システムの操作手順を示すフローチャートである。
【図４】本発明に係る蓄電システムの保守管理システムの概要を示すブロック図である。
【発明を実施するための形態】
【００２５】
以下に本発明の実施形態を図面を参照して説明するが、本発明はこれにより何ら制限されるものではない。また、同一構成部材については同一の符号を用い、重複する説明は適宜省略する。まず本実施形態に係る蓄電システムの保守管理システムの第１実施形態について、図１を用いて説明する。
【００２６】
〈第１実施形態〉
図１に示す第１実施形態に係る蓄電システム１の保守管理システムは、充放電可能な複数の蓄電池２（例えば、蓄電池２Ａ、２Ｂ、２Ｃの３個）を並列に接続した蓄電システムの保守と管理を行う構成とされる。
【００２７】
蓄電システム１の保守管理システムは、それぞれの蓄電池２（２Ａ、２Ｂ、２Ｃ）の電流値を計測する電流計側部２１（２１Ａ、２１Ｂ、２１Ｃ）と、電圧計側部２２と、蓄電池の状態を計測する計側部３１と蓄電池の充放電を制御する充放電制御部３２とを備えたシステム制御部３と、計測されたデータを含む情報を表示する表示部４と、さらに、蓄電池性能を回復させる回復手段（パルス発生部５）を備えた構成である。
【００２８】
そして、複数の蓄電池２（２Ａ、２Ｂ、２Ｃ）の通常の充放電は、接続端子１１、１２を介して行う。すなわち、本蓄電システム１は接続端子１１、１２を介して、パワーコンディショナ等の直流を交流電力に双方向に変換する装置を経由して、各家庭用分電盤、あるいは専用ＡＣ電源に接続される。また、計側部３１が性能劣化した蓄電池２を検出すると、表示部４に、その性能劣化した蓄電池２を表示すると共に、回復操作を実行するか否かを設定する回復操作選択キー（不図示）を表示し、回復操作を行うことが選択された後、回復手段（パルス発生部５）を用いて回復操作を実行する保守管理システムとしている。
【００２９】
例えば、計側部３１が性能劣化した蓄電池２Ａを検知すると、この旨を表示部４に表示し、回復操作を実行するか否かを設定する回復操作選択キーを表示する。そして、回復操作を行うことが選択されると、充放電制御部３２を介して、スイッチ１３、１４をオンにし、パルス発生部５に接続すると共に、接続ラインＬ１Ａ、Ｌ２Ａを介して蓄電池２Ａの充電操作を行い、回復を図る操作を行う。
【００３０】
同様に、蓄電池２Ｂの性能劣化を検知すると表示部にその旨を表示し、回復操作を行うことが選択されると、充放電制御部３２を介して、スイッチ１３、１４をオンにし、パルス発生部５に接続すると共に、接続ラインＬ１Ｂ、Ｌ２Ｂを介して蓄電池２Ｂの充電操作を行う。蓄電池２Ｃに対しても同じである。
【００３１】
この構成であれば、性能が劣化した蓄電池２（２Ａ、２Ｂ、２Ｃ）を知ることができ、この蓄電池２（２Ａ、２Ｂ、２Ｃ）に対して性能を回復させる回復操作（パルス発生部５を用いたパルス充電）を、ユーザーが求めるタイミングで実行できるので、直ちに交換する必要がなくなり、予め交換のための準備や手配を行うことができる。また、交換時期が来るまでは、性能回復した蓄電池２（２Ａ、２Ｂ、２Ｃ）を使用することにより有効に使用できる蓄電システム１となる。そのために、蓄電池２（２Ａ、２Ｂ、２Ｃ）の使用状態を把握して蓄電池２（２Ａ、２Ｂ、２Ｃ）の性能劣化を報知すると共に、使用状況により予想される交換時期まで蓄電池２（２Ａ、２Ｂ、２Ｃ）を有効に使用できる蓄電システム１の保守管理システムを得ることができる。
【００３２】
パルス発生部５で生成するパルス電流を用いて行う充電操作は、例えば、所定の電流をオンオフするパルス電流を用いて行うパルス充電であり、充電する蓄電池２（例えば蓄電池２Ａ）の端子電圧と内部抵抗をチェックしながらパルス電流を供給する充電操作を行うことができる。従って、このような充電操作を行うことにより、性能劣化した蓄電池２（例えば蓄電池２Ａ）の電池容量を確実に回復させることができる。
【００３３】
上記したように、システム制御部３は、複数の蓄電池２（２Ａ、２Ｂ、２Ｃ）を一体に使用した蓄電システム１の稼動と、それぞれの蓄電池２（２Ａ、２Ｂ、２Ｃ）の性能評価と、必要な表示内容の決定と表示制御と、性能劣化した蓄電池２（２Ａ、２Ｂ、２Ｃ）の検出と表示と、回復手段（パルス発生部５）を用いた回復操作を取り仕切る。すなわち、システム制御部３は、複数の蓄電池２（２Ａ、２Ｂ、２Ｃ）の充放電操作の全てを制御する。
【００３４】
また、システム制御部３は、後述するようにインターネット網に接続可能な通信部３３を有し、各蓄電池の使用状況や、性能劣化の情報や、蓄電池交換のお知らせなどの各種情報を、通信部３３を介して管理センターに通報する機能を有する。また、管理センターから送信される情報を受け取り、表示部４に表示する機能も有する。
【００３５】
上記したように、蓄電池２（２Ａ、２Ｂ、２Ｃ）を交換することが選択されるとその旨を、通信部３３を介して管理センターに通報する構成としているので、ユーザーが蓄電池２（２Ａ、２Ｂ、２Ｃ）の交換を希望すると、直ちにその旨を管理センターに通報することが可能になり、利便性の高い蓄電システムの保守管理システムとなる。
【００３６】
〈第２実施形態〉
次に、図２を用いて蓄電システムの保守管理システムの第２実施形態について説明する。この保守管理システムは、蓄電池２（２Ａ〜２Ｆ）６個を３並２直に接続した蓄電システム１Ａの保守と管理を行う構成である。
【００３７】
この３並２直の蓄電システム１Ａの保守管理システムであっても、それぞれの蓄電池２（２Ａ〜２Ｆ）の電流値を計測する電流計側部２１（２１Ａ〜２１Ｆ）と、電圧計側部２２、２２と、蓄電池の状態を計測する計側部３１と蓄電池の充放電を制御する充放電制御部３２とを備えたシステム制御部３と、計測されたデータを含む情報を表示する表示部４と、蓄電池性能を回復させる回復手段（パルス発生部５）を備えた構成は同じである。
【００３８】
本蓄電システム１Ａも、接続端子１１、１２を介してパワーコンディショナ等の直流を交流電力に双方向に変換する装置を経由して、各家庭用分電盤、あるいは専用ＡＣ電源に接続される。また、計６個の蓄電池２（２Ａ〜２Ｆ）のそれぞれの性能を計側部３１が計測し、性能が劣化した蓄電池２（２Ａ〜２Ｆ）を検知すると、この旨を表示部４に表示し、回復操作を実行するか否かを設定する回復操作選択キーを表示し、回復操作を行うことが選択されると、充放電制御部３２を介して、スイッチ１３、１４をオンにし、パルス発生部５に接続すると共に、それぞれの接続ラインを介して蓄電池２（２Ａ〜２Ｆ）の充電操作を行うことも同じである。
【００３９】
すなわち、本実施形態のシステム制御部３は、複数の蓄電池２（２Ａ〜２Ｆ）を一体に使用した蓄電システム１Ａの稼動と、それぞれの蓄電池２（２Ａ〜２Ｆ）の性能評価と、必要な表示内容の決定と表示制御と、性能劣化した蓄電池２（２Ａ〜２Ｆ）の検出と表示と、回復手段（パルス発生部５）を用いた回復操作を取り仕切る。すなわち、システム制御部３は、３並２直の計６個の蓄電池２（２Ａ〜２Ｆ）の充放電操作の全てを制御する。
【００４０】
また、システム制御部３に通信部３３を設け、各蓄電池の使用状況や、性能劣化の情報や、蓄電池交換のお知らせなどの各種情報を、インターネット網を介して管理センターに通報することも同じである。
【００４１】
次に、図３に示すフローチャートを用いて蓄電システム１、１Ａの保守管理システムの操作手順について説明する。
【００４２】
まず、本蓄電システムの使用開始時に、定格電力、電圧設定、期待寿命などを入力する。すなわち、蓄電システムの入力設定を行う（ステップＳ１）。この入力設定は、各ユーザーが行ってもよく、サービスマンが行ってもよい。それから、蓄電システムの通常使用（ステップＳ２）が実行される。この通常使用では、充電、待機、放電（電気機器の使用）が繰り返し実行される。
【００４３】
次いで、使用可能な電力量が低下しているかの確認（ステップＳ３）を行い、電力量が低下していることが確認されるとＹ方向に進み次のステップＳ４の電池電圧確認を行う。ステップＳ３にて、電力量が低下していないことが確認されるとＮ方向に進み、ステップＳ２の蓄電システムの通常使用を継続する。
【００４４】
このステップＳ３の使用可能電力量の低下は、初期に入力した定格電力と、前プロセスにおける充放電の実績を基に、鉛蓄電池の場合には、雰囲気温度と期待寿命の関係から算出することが好ましい。リチウムイオン蓄電池の場合には、定期的に容量確認のための充放電を行い、その結果をベースに算出する方法が好ましい。これにより本システムは、使用期間にわたる蓄電池の使用可能電力量の変化度合を示す情報を管理でき、保守管理システムとなる。
【００４５】
また、ステップＳ４の電池電圧確認は、各電池の短絡が発生していないこと、過充電、過放電になっていないことについても確認する。ステップＳ４で電圧が不十分であることが検知されるとＹ方向に進みステップＳ５の電池内部抵抗増加確認を行う。また、電圧が十分であれば、Ｎ方向に進み、ステップＳ２の蓄電システムの通常使用を継続する。
【００４６】
ステップＳ５で電池内部抵抗の増加が確認されると、Ｙ方向に進みステップＳ６の蓄電池の容量低下のお知らせを報知する。すなわち、前述した表示部４にその旨を表示する。また、内部抵抗が増加していない場合には、Ｎ方向に進み、通常の充放電システムを継続する。
【００４７】
内部抵抗の増加は、初期電圧である開回路電池電圧を基に、計測される電流値と電圧から計測できる。また、充電末時の電流、もしくは、放電開始直前の電池電圧を基に、計測される電流値と電圧から計測してもよい。いずれにしても、充放電操作の度に、それぞれの蓄電池の内部抵抗の変化率を計測することにより、使用期間にわたる蓄電池の内部抵抗の変化度合を検出し、この変化率が予め定める規定値を超えると内部抵抗が増加していると判断する。すなわち、本システムは、使用期間にわたる蓄電池の内部抵抗の変化度合の傾向を示す情報を管理できる保守管理システムとなる。
【００４８】
そこで、使用可能電力量が低下し、電池電圧が低下し、内部抵抗が増加していることが確認されると、ステップＳ６の蓄電池の容量低下のお知らせを報知して、蓄電池を回復させるか否か、すなわち、蓄電池の再生を行うことの判断をユーザーに促すことにしている（蓄電池再生判断：ステップＳ７）。
【００４９】
ステップＳ７で蓄電池再生の判断がなされるとＹ方向に進みステップＳ８の蓄電池の再生操作が実施される。この再生操作は前述したパルス発生部５を用いたパルス充電である。このパルス充電を行うことにより、電極表面に生成している抵抗皮膜を除去して電池性能を回復することができる。すなわち、蓄電池を再生することができる。
【００５０】
また、ステップＳ７で蓄電池の再生は実行しないとの判断がなされるとＮ方向に進み、通常の充放電システムに戻る。しかし、この場合には、既に、蓄電池の内部抵抗が増加した状態であるので、十分な充電は期待できず、短時間でステップＳ７に至るものと思われる。
【００５１】
パルス充電を実施する場合には、スイッチング素子を制御して充電操作を行う蓄電池にパルス電流を供給する。この際に、蓄電池の温度上昇に注意しながら充電操作を行うことが好ましいので、本蓄電システムは、各蓄電池の温度を計測する温度計側部を有し、システム制御部を介して、蓄電池の温度が所定温度以上にならないように充電制御を行うようにしている。
【００５２】
パルス充電は、例えば、矩形波のパルス電流であって、ベース電流の２〜１０倍、デューティー比２５％〜５０％の電流を用いて行うとよい。また、前述したように、充電する蓄電池の端子電圧と内部抵抗をチェックしながらパルス電流を供給する充電操作を行うことにより、電池容量を確実に回復させることができる。この再生操作を実行しても、充電時、放電時に短時間しか動作しない場合が検出された時には、蓄電池交換のお知らせを行う。
【００５３】
すなわち、ステップＳ９で蓄電池の充電電力の低下が検出されるとＹ方向に進みステップＳ１０の蓄電池の交換お知らせを実行する。ステップＳ９で蓄電池の充電電力の低下が検出されない場合にはＮ方向に進み、通常の充放電システムを継続する。また、この蓄電池交換のお知らせは、蓄電池の実際の性能に加えて、蓄電池の使用状態を加味してシステム制御部３が判断するようにしている。この構成であれば、蓄電池の使用状況を踏まえて交換の時期を判断するので、予測される電池容量に応じた蓄電池の正確な交換時期を予想可能になって、理想的なタイミングで蓄電池を交換することができる。
【００５４】
蓄電池の交換を行うか否かはユーザーが判断（ステップＳ１１）し、交換が必要と判断したユーザーは、交換を依頼する（ステップＳ１２）。この依頼は、蓄電池メーカーのお客様ダイヤル等の表示による電話依頼方法や、ネットワーク（インターネット網）等を利用したネット手配方法を採用することが可能である。
【００５５】
ステップＳ１２で蓄電池の交換が依頼されると、ステップＳ１３の蓄電池交換を行う。この蓄電池の交換は、各ユーザーが行うことも可能であるが、サービスマンが行うことがより好ましい。
【００５６】
これは、蓄電池の使用開始時には、定格電力、電圧設定、期待寿命、などの項目を予め設定し入力しておくことが求められるため、これらの設定を間違いなく行うためにも、蓄電池の交換と必要な初期設定は、熟練者であるサービスマンが行うことが好ましいからである。
【００５７】
〈第３実施形態〉
次に、本発明に係る蓄電システム１、１Ａの保守管理システムについて、インターネット網を介して行う保守管理システムを第３実施形態として図４を用いて説明する。図４は、本発明に係る蓄電システムの保守管理システムの概要を示すブロック図であって、蓄電池交換のお知らせから交換に至る手順を示している。
【００５８】
図４に示すように、本実施形態に係る保守管理システムは、インターネット網８に接続可能な通信部３３を備えており、この通信部３３を介して、インターネット網８を経由して管理センター９と通信可能とされる。そして、前述したステップＳ１０で蓄電池交換のお知らせが表示されると、このお知らせが表示された旨を通知する情報がインターネット網８を介して管理センター９に通信される（お知らせの確認ステップＳ２０）。
【００５９】
それから、この蓄電池交換のお知らせに対するユーザーの対応が確認され、電話連絡かメール送信かの対応方法の連絡の確認（ステップＳ２１）を行う。すなわち、表示部４に連絡先の電話番号と、電話通信とメール通信のいずれを選択するかの通信選択キーを表示して、ユーザーに選択してもらう。ここで何も選択されない場合には、安全性の問題を生じ、法的な問題も生じる可能性もあるので、この旨を表示部４に表示することが好ましい。また、この状態を管理センターに通報する構成であってもよい。
【００６０】
性能劣化が確認された蓄電池は交換するか取外しを依頼するかのいずれかを選択する。すなわち、性能劣化した蓄電池であることを表示部４に表示すると共に、交換するか取外しを依頼するかを選択する選択キーを表示して、ユーザーがいずれかを選択する構成としている。そして、ステップＳ２２の交換依頼が選択されるとその旨を、インターネット網８を介して管理センター９に通信し、管理センター側が新たな蓄電池を準備して交換する交換手続きに入る。それから、ステップＳ２４の交換作業が行われ作業が完了（ステップＳ２６）する。
【００６１】
また、ステップＳ２３の取外し依頼が選択されるとその旨を、インターネット網８を介して管理センター９に通信し、管理センター側が回収業者に連絡して回収手続きに入る。それから、ステップＳ２５の回収作業が行われ作業が完了（ステップＳ２６）する。
【００６２】
前述した表示部４には、蓄電システム１、１Ａの稼動状況とそれぞれの蓄電池２の性能の良否を示すＬＥＤ点灯表示部と、判断を求める各選択キーや作業内容、および、その他の情報を表示する液晶表示部を設け、稼動状況と必要事項を表示するとよい。また、ブザー音などの音声信号を出力してもよく、室内のＬＥＤ電灯を遠隔操作して点滅させる表示を組み合わせて行うことも可能である。
【００６３】
また、使用可能電力量の低下などの表示も、表示部４に表示すること以外に、前述した通信部３３を介してリモコンに表示したり、インターネット網に接続可能なＴＶやタブレット端末に表示させたりしてもよい。
【００６４】
上記で説明した蓄電池２は、鉛蓄電池やリチウムイオン蓄電池などの充放電可能な二次電池から成る。また、これらの鉛蓄電池などは、パルス電流を用いたパルス充電により、電池容量を容易に回復させることができて好ましい。
【００６５】
上記したように、本発明の請求項１に対応した課題を解決する手段は、蓄電池２と、蓄電池２の状態を計測する計側部３１と蓄電池２の充放電を制御する充放電制御部３２とを備えたシステム制御部３と、計測されたデータを含む情報を表示する表示部４と、を備えた蓄電システム１、１Ａの保守管理システムであって、さらに、蓄電池性能を回復させる回復手段（パルス発生部５）を備え、表示部４に、性能が劣化した蓄電池２であることを表示すると共に、回復操作を実行するか否かを設定する回復操作選択キーを表示し、回復操作を行うことが選択された後、回復操作（パルス発生部５を用いたパルス充電）を実行する保守管理システムとしたことである。この請求項１に対応した効果は、性能が劣化した蓄電池２を知ることができ、この蓄電池２に対して性能を回復させる回復操作を、ユーザーが求めるタイミングで実行できるので、直ちに交換する必要がなくなり、予め交換のための準備や手配を行うことができる。また、交換時期が来るまでは、性能回復した蓄電池２を使用することにより有効に使用できる蓄電システム１、１Ａとなる。そのために、蓄電池２の使用状態を把握して蓄電池２の性能劣化を報知すると共に、蓄電池の性能劣化を検知して蓄電池の余寿命を正確に把握出来ることにより、交換時期まで蓄電池２を有効に使用できる蓄電システム１、１Ａの保守管理システムを得ることができる。
【００６６】
請求項２に対応した課題を解決する手段は、システム制御部３は、インターネット網８に接続可能な通信部３３を有し、表示部４は、回復操作を実行するか否かを設定する回復操作選択キーを表示すると共に、蓄電池交換のお知らせとして交換を希望するか否かの交換選択キーを表示し、交換することが選択されるとその旨を、通信部３３を介して管理センター９に通報することである。この請求項２に対応した効果は、ユーザーが蓄電池２の交換を希望すると、直ちにその旨を管理センター９に通報できるので、利便性の高い蓄電システムの保守管理システムとなる。
【００６７】
請求項３に対応した課題を解決する手段は、蓄電池交換のお知らせは、蓄電池２の実際の性能に加えて、蓄電池２の使用状態を加味してシステム制御部３が判断することである。この請求項３に対応した効果は、蓄電池２の使用状況を踏まえて交換の時期を判断するので、正確な交換時期を予想可能になって、理想的なタイミングで蓄電池２を交換することができる。
【００６８】
請求項４に対応した課題を解決する手段は、回復手段として、所定のパルス電流を生成するパルス発生部５を有することである。この請求項４に対応した効果は、パルス発生部５により生成されるパルス電流を用いてパルス充電できるので、所定の電流をオンオフするパルス電流を用いて行うパルス充電が可能になる。また、充電する蓄電池の端子電圧と内部抵抗をチェックしながらパルス電流を供給する充電操作を行うことにより、電池容量を確実に回復させることができる。
【００６９】
請求項５に対応した課題を解決する手段は、表示部４は、連絡先の電話番号と、電話通信とメール通信のいずれを選択するかの通信選択キーを表示することである。この請求項５に対応した効果は、ユーザーが希望する通信方法を選択できるので、ユーザーにとって使いやすい、すなわち利用し易い蓄電システムの保守管理システムとなる。
【００７０】
上記したように、本発明によれば、蓄電池の使用状態を把握して蓄電池の性能劣化をユーザーに報知すると共に、ユーザー自身が性能劣化した蓄電池の回復操作を行うことと交換することの判断を行い、交換する場合でも使用状況により予想される交換時期まで蓄電池を有効に使用できる蓄電システムの保守管理システムを得ることができる。
【産業上の利用可能性】
【００７１】
そのために、本発明に係る蓄電システムの保守管理システムは、性能劣化した蓄電池を容易に発見でき、一旦、性能劣化した蓄電池が現出しても、使用状況により予想される交換時期まで適当な発電能力を維持することが求められる蓄電システムの保守管理システムに好適に利用可能となる。
【符号の説明】
【００７２】
１、１Ａ    蓄電システム
２（２Ａ〜２Ｆ）    蓄電池
３    システム制御部
４    表示部
５    パルス発生部
８    インターネット網
９    管理センター
２１    電流計側部
２２    電圧計側部
３１    計側部
３２    充放電制御部
３３    通信部
【図１】
2015060775.tif 000003
【図２】
2015060775.tif 000004
【図３】
2015060775.tif 000005
【図４】
2015060775.tif 000006